(57)【特許請求の範囲】
【請求項１】
熱可塑性合成樹脂シートを筒状に丸めて筒状型材内に挿入保持し、加熱することによって上記筒状に丸めた熱可塑性合成樹脂シートの内部応力を除去することにより、該熱可塑性合成樹脂シートを筒状に丸めた形状に保持して製造されたマスキング材であって、該マスキング材は支柱の外周に嵌着することを特徴とする支柱用マスキング材。
【請求項２】
上記支柱は被塗物を支持する塗装用治具の支柱である請求項１に記載の支柱用マスキング材。
【発明の詳細な説明】
【技術分野】
【０００１】  本発明は、塗装用の治具等の支柱を塗装等の処理から保護するために使用されるマスキング材に関するものである。
【背景技術】
【０００２】
従来、自動車のバンパー、ボディなどといった部品をスプレー塗装、あるいは電着塗装
する場合、それら部品を支持し、固定するために塗装用の治具を使用している。そして、
塗装の際にはこのような治具にも塗料が付着してしまい、該治具の再利用時にこうした塗
料による部品の汚損を防止するため、治具に付着した塗料の剥離除去作業が必要となる。
しかし、治具に付着した塗料、特に乾いて硬化してしまった塗料の剥離除去作業は、多大
な労力と長大な時間を要してしまう。そこで、治具に付着した塗料を剥離除去する手間を
省略するべく、該治具を合成樹脂フィルムやシート、あるいはアルミ箔、新聞紙等のシー
ト材で包み、該シート材がずれないように粘着テープなどで固定する等の手法が試みられ
ている。
また、例えば図１０に示すような、自動車のバンパーＢを塗装するために使用する治具１１については、該治具１１を保護するためのマスキング材が提供されている（特許文献１参照）。該治具１１は、バンパーＢの取付け部１２と、該取付け部１２を支持する支柱１３と、該支柱１３の根端に取り付けられている基台１４とからなり、該支柱１３には支柱回転用把手１５が差出されている。そして、マスキング材は、該治具１１のバンパーＢの取付け部１２に取り付けられ、塗料が付着しないよう該取付け部１２を保護している（特許文献１参照）。
【０００３】
【特許文献１】特開２００７−０２９７６９号
【発明の開示】
【発明が解決しようとする課題】
【０００４】
ところが、上記従来の治具は、様々な形状の部品を好適に支持するべく凹凸の多い形状
となっているため、該治具をシート材で包む手法については、煩雑で手間を要する作業と
なる傾向があり、またその手間を差し引いて余りある程の優れた効果を奏する手法でもな
かった。
また一方、上記の自動車のバンパーＢの治具１１にあっては、バンパーＢの取付け部１
２のみならず、支柱１３の特に把手１５が差出されている上部（図９中に斜線で示す）に
塗料が付着し易くなっているため、該支柱１３に塗料が付着すると、把手１５が邪魔とな
って塗料を除去するのに手間がかかってしまう。
【課題を解決するための手段】
【０００５】
本発明は、上記従来の問題点を解決するための手段として、熱可塑性合成樹脂シート１を筒状に丸めた形状に保持し、支柱の外周に嵌着する支柱用マスキング材３を提供するものである。
該支柱がバンパーＢ等の被塗物を支持する治具１１の支柱１３である場合には、本発明は特に有用である。
本発明のマスキング材３は、熱可塑性合成樹脂シート１を筒状に丸めて筒状型材５内に挿入保持し、加熱することによって上記筒状に丸めた熱可塑性合成樹脂シートの内部応力を除去することによって、該熱可塑性合成樹脂シート１を筒状に丸めた形状に保持して製造される。
【発明の効果】
【０００６】
〔作用〕
本発明のマスキング材３は、筒状に丸まっている熱可塑性合成樹脂シート１を手等で引張って開いて支柱１３に装着し、引張り力を除去すれば、弾性復元力によって元の筒状に丸まった形状に戻り、支柱１３に圧接する。
塗装等の表面処理後は、再び筒状に丸まっている熱可塑性合成樹脂シート１を手等で引張って開いて支柱１３から取はずす。
本発明のマスキング材３を製造するには、熱可塑性合成樹脂シート１を筒状に丸めるが、この場合、熱可塑性合成樹脂シート１は内部応力によって展開状態に戻ろうとする。そこで該熱可塑性合成樹脂シート１を丸めた状態で筒状型材５内に挿入保持して加熱することによって展開状態に戻ろうとする応力を除去して巻きぐせを付ける。そうすると、該熱可塑性合成樹脂シート１は筒状に丸めた形状に保持される。
【０００７】
〔効果〕
本発明にあっては、マスキング材で保護する支柱が被塗物を支持する塗装用冶具の支柱
である場合、該支柱をマスキング材によって保護するから、該支柱に塗料が付着すること
が防止され、塗装後に該支柱から塗料を剥離除去する手間が省略される。
さらに、塗装用冶具の支柱に限らず、表面処理、加工処理、めっき処理、接着処理等の
処理工程で被処理体を支持、固定などする冶具、作業台、支持台等、他に展示台等の支柱
である場合もまた、表面処理剤、加工液、めっき液、接着剤、はんだ等の処理剤、処理液
、あるいは処理時の汚れ、あるいは作業時の傷つきから支柱を保護することができ、該支
柱を清掃、補修、修繕などする手間が省略される。
またマスキング材の製造時には、特別な成形型を製造、あるいは用意する必要が無いた
め、マスキング材を安価で簡易に大量生産することができる。
【発明を実施するための最良の形態】
【０００８】
本発明を図１〜図４に示す―実施例によって説明する。
本発明のマスキング材は、図１に示すような熱可塑性合成樹脂シート１を用いて形成されている。この熱可塑性合成樹脂シート１は、横長矩形状とされている。また該熱可塑性合成樹脂シート１の左右両端にはコの字形状切欠き２，２が設けられている。
上記熱可塑性合成樹脂シート１は、図２に示すように、左右両端部が若干重なるように筒状に丸められる。そして、該熱可塑性合成樹脂シート１を筒状に丸めた状態で、金属、セラミック等からなる筒状型材５内に挿入保持し、加熱することにより、該熱可塑性合成樹脂シート１から、図３に示すような筒状のマスキング材３が製造される。また、該マスキング材３には、該熱可塑性合成樹脂シート１の左右両端の切欠き２，２により、窓孔４が形成されている。
上記熱可塑性合成樹脂シート１は、上記マスキング材３の製造において、その材料である熱可塑性合成樹脂のガラス転移点（Ｔｇ）以上の温度に加熱される。このようにガラス転移点（Ｔｇ）以上の温度に加熱することにより、上記熱可塑性合成樹脂シート１は、筒状に丸めた際に発生する内部応力を除去され（内部応力が解放され）るため、筒状に丸まった形状を保持するようになる。
【０００９】
上記熱可塑性合成樹脂シート１の材料である熱可塑性合成樹脂には、例えばポリエチレン、ポリプロピレン、エチレン−プロピレン共重合体、エチレン−プロピレンターポリマー、エチレン−酢酸ビニル共重合体、ポリ塩化ビニル、ポリ塩化ビニリデン、ポリスチレン、ポリカーボネート、ポリ酢酸ビニル、フッ素樹脂、熱可塑性アクリル樹脂、熱可塑性ポリエステル、熱可塑性ポリアミド、熱可塑性ウレタン樹脂、アクリロニトリル−ブタジエン共重合体、スチレン−ブタジエン共重合体、アクリロニトリル−ブタジエン−スチレン共重合体、アクリロニトリル−エチレン−スチレン共重合体等、またポリフェニレンエーテル、変性ポリフェニレンエーテル、ポリイミド、ポリスルホン、ポリエーテルエーテルケトン等のようなエンジンアリングプラスチック、またとうもろこしや、サトウキビ等の澱粉から得られるポリ乳酸を原料とした生分解性樹脂などのような熱可塑性合成樹脂が使用される。
また熱可塑性合成樹脂シート１の材料としては、塗料の付着性（あるいは密着性）が良好な材料、前に挙げた熱可塑性合成樹脂の中では特に変性ポリフェニレンエーテル、あるいはポリアミド含有樹脂等のようなエンジンアリングプラスチックが望ましい。他に、塗料の付着性を向上させるため、熱可塑性合成樹脂シート１の表面にプライマー処理を施してもよい。熱可塑性合成樹脂シート１における塗料の付着性を向上させると、該熱可塑性合成樹脂シート１からなるマスキング材３に塗料が付着した際、該マスキング材３上から他箇所（例えば治具に支持されたバンパー）に塗料が移りにくくなり、また乾いた塗料が粉状となって飛散しにくくなる。従って、合成樹脂シート１における塗料の付着性を向上させることは、バンパー等の部品の汚損を防止することができるという優れた効果を奏する。
【００１０】
上記熱可塑性合成樹脂には、例えば炭酸カルシウム、炭酸マグネシウム、硫酸バリウム、硫酸カルシウム、亜硫酸カルシウム、燐酸カルシウム、水酸化カルシウム、水酸化マグネシウム、水酸化アルミニウム、酸化マグネシウム、酸化チタン、酸化鉄、酸化亜鉛、アルミナ、シリカ、ケイ藻土、ドロマイト、石膏、タルク、クレー、アスベスト、マイカ、ガラス繊維、カーボン繊維、ケイ酸カルシウム、ベントナイト、ホワイトカーボン、カーボンブラック、鉄粉、アルミニウム粉、石粉、高炉スラグ、フライアッシュ、セメント、ジルコニア粉等の無機充填材、あるいは木綿、麻、竹繊維、ヤシ繊維、羊毛、絹等の天然繊維、あるいはポリアミド繊維、ポリエステル繊維、アクリル繊維、ビスコース繊維、アセテート繊維、塩化ビニル繊維、塩化ビニリデン繊維、ビニロン繊維、アセテート繊維等の有機合成繊維、あるいはアスベスト繊維、ガラス繊維、炭素繊維、セラミック繊維、金属繊維、ウィスカー等の無機繊維、あるいはリンター、リネン、サイザル、木粉、ヤシ粉、クルミ粉、でん粉、小麦粉、木片、木粉、排水処理によって発生した汚泥の焼却灰等の有機充填材等のような補強材を添加して形状保持性、寸法安定性、圧縮および引張強度等を向上せしめてもよい。
【００１１】
その他に顔料や染料、ＤＯＰ，ＤＢＰ等の可塑剤、酸化防止剤、帯電防止剤、結晶化促進剤、難燃剤、防炎剤、防虫剤、防腐剤、ワックス類、滑剤、老化防止剤、紫外線吸収剤、化学発泡剤またはカプセル型発泡剤のような発泡剤等の第三成分が添加されてもよい。これらの成分は一種または二種以上を相互に混合して添加されていてもよい。
上記難燃剤としては、例えば燐系難燃剤、窒素系難燃剤、硫黄系難燃剤、ホウ素系難燃剤、臭素系難燃剤、グアニジン系難燃剤、燐酸塩系難燃剤、燐酸エステル系難燃剤、アミノ樹脂系難燃剤等がある。
【００１２】
上記熱可塑性合成樹脂には発泡剤が添加され、発泡性ビーズまたは発泡性ペレットとして提供されるが、上記発泡剤としては例えば２，２’−アゾビスイソブチロニトリル、ｐ，ｐ’−オキシビス（ベンゼンスルホニルヒドラジド）、ｐ，ｐ’−オキシビス（ベンゼンスルホニルセミカルバジド）、Ｎ，Ｎ’−ジメチル−Ｎ，Ｎ’−ジニトロソテレフタルアミド、Ｎ，Ｎ’−ジニトロソペンタメチレンテトラミン、アゾジカルボンアミド、ヒドラゾジカルボンアミド、バリウムアゾジカルボキシレート、ジアゾアミノベンゼン、１，１’−アゾビスホルムアミド等の有機発泡剤、炭酸水素ナトリウム、亜硝酸ナトリウム等の無機発泡剤等がある。
【００１３】
上記マスキング材３は、図４に示すように該マスキング材３を構成する筒状とした熱可塑性合成樹脂シート１の左右両端を矢印方向に手等で引っ張って開いた状態とし、治具１１の支柱１３に被せて装着する。そして、該マスキング材３は、その左右両端から手等を離して引張り力を除去すると、弾性復元力によって元の筒状に丸まった形状に戻り、図５に示すように支柱１３に圧接固定される。また、該支柱１３の把手１５は、該マスキング材３の窓孔４を貫通する。
上記マスキング材３を支柱１３に圧接固定した状態で、該治具１１に支持したバンパーＢに上方からスプレー塗装を施すが、該治具１１の支柱１３の塗料が付着し易い把手１５付近にはマスキング材３が装着されているので、該マスキング材３によって塗料が付着することが阻止される。
【００１４】
上記熱可塑性合成樹脂シート１の厚みは、０．１〜２．０ｍｍの範囲に設定されることが望ましい。厚みが０．１ｍｍ未満であると、剛性が弱く、軟らかくなり、該熱可塑性合成樹脂シート１が破れやすくなったり、またマスキング材３が十分な弾性復元力を発揮できず、支柱に取り付けても該マスキング材３が該支柱に圧接せず、固定が不充分になったりするおそれがある。厚みが２．０ｍｍを超えると、剛性が強く、硬くなり、該熱可塑性合成樹脂シート１を筒状に丸めることが困難になったり、また支柱への取り付け、取り外しも困難になったりするおそれがある。
【００１５】
本実施例以外、図６に示すように熱可塑性合成樹脂シートの左右両端に半円切欠き２Ａ，２Ａを設けてもよい。そうすると、図７に示すように得られるマスキング材３Ａには円形の窓孔４Ａが形成される。
また、窓孔４，４Ａは必ずしも設ける必要はなく、マスキング材を取り付ける治具の支
柱に上記把手１５のような突出物が無い場合（例えば、図８に示す支柱２２）には、窓孔
を省略してもよい。
また、本発明のマスキング材の形状は、必ずしも円筒状に限らず、角筒状等としてもよ
い。すなわち、マスキング材の形状は、筒状型材５として円パイプを用いれば円筒状とす
ることができ、筒状型材５として角パイプを用いれば角筒状とすることができる等、使用
する筒状型材５の形状に応じて様々に変えることが出来る。
【００１６】
また上記のようなバンパーを支持するための治具１１に限らず、例えば図８に示すよう
な電着塗装で使用する治具２１の支柱２２を本発明のマスキング材３Ｂで保護してもよい
。すなわち、該治具２１は、自動車のボディＣを電着塗装する際に、該ボディＣを吊り下
げて支持するためのものである。該治具２１は、その上端がクレーン（図示しない）に接
続された略篭状に構成されており、複数本の支柱２２と、これら支柱２２によって支持さ
れた支持台２３とを有している。そして、該治具２１は、支持台２３の上面にボディＣを
載せたまま、該ボディＣとともに塗料槽内の塗料Ｐに浸積される。このような電着塗装に
おいて、該治具２１が塗料Ｐに浸積された際、支柱２２には塗料が付着する。また電着塗
装において、塗装後にボディＣを治具２１に支持させたまま乾燥させた場合は、支柱２２
に付着した塗料は特に除去しづらいものとなる。従って、電着塗装を施す前に該支柱２２
を上記マスキング材３Ｂで保護しておけば、該支柱２２に塗料Ｐが付着することがなく、
該支柱２２から塗料を剥離除去する手間を省くことができる。
【００１７】
なお、上記電着塗装で使用する治具２１は、マスキング材３Ｂの左右両端の合わせ目及
び下部を粘着テープ等の貼着部材Ｔで封ずることが望ましい（図８，図９参照）。これは
、電着塗装の塗料Ｐに浸積された際、該塗料Ｐがマスキング材３Ｂの左右両端の合わせ目
及び下部の隙間から染み入り、支柱２２に付着してしまうおそれがあるためである。但し
、支柱２２の上部は、塗料Ｐに浸漬されず塗料が付着しにくいため、必ずしも貼着部材Ｔ
で封ずる必要はない（図９参照）。
また電着塗装で使用する治具２１に限らず、本発明のような熱可塑性合成樹脂シート１に巻きぐせを付けることによって形成され、保護対象である支柱に巻き付けるようにして装着されるマスキング材は、所望に応じて、左右両端の合わせ目、下部及び上部から選ばれる少なくとも何れか１個所を粘着テープ等の貼着部材で封じてもよい。
【００１８】
また、本発明のマスキング材は、上記のような塗装用冶具の支柱に限らず、表面処理、
加工処理、めっき処理、接着処理等の処理工程で被処理体を支持、固定などする冶具、作
業台、支持台等に装着してもよい。この場合、表面処理剤、加工液、めっき液、接着剤、
はんだ等の処理剤、処理液、あるいは処理時の汚れ、あるいは作業時の傷つきから支柱を
保護することができ、該支柱を清掃、補修、修繕などする手間が省略される。
また、上記のような冶具、作業台、支持台等の他に、他に展示台、家屋等の支柱を本発
明のマスキング材で保護してもよい。例えば展示台であれば展示作業中の装飾処理、傷つ
き等から支柱を保護することができ、家屋であれば引越作業、リフォーム作業等の傷つき
、接着剤、塗料の付着などから支柱である柱を保護することができる。
また本発明のマスキング材は、熱可塑性合成樹脂シート１に巻きぐせを付けることによって形成され、保護対象である支柱に巻き付けるようにして装着されるものであり、熱可塑性合成樹脂シート１の巻きぐせによる弾性を利用すれば、その内径を簡易かつ柔軟に拡げることが可能であるため、太さの異なる支柱に対して同一のマスキング材で柔軟に対応することができる。さらに、例えば円筒状の支柱に装着していたマスキング材を何ら加工することなくそのまま角筒状の支柱に装着できる等のように、太さの異なる支柱のみならず、断面形状の異なる支柱でも同一のマスキング材で柔軟に対応することができる。
【産業上の利用可能性】
【００１９】
本発明では、塗装の際に被塗物を支持する治具の支柱がマスキング材によって保護され
ているから、該支柱に塗料が付着せず、したがって塗装工程に該支柱から塗料を剥離除去
する手間が省略され、特に連続塗装工程にとっては極めて産業上利用可能になる。
【図面の簡単な説明】
【００２０】
図１〜図５は本発明の実施例を示すものである。
図６〜図９は他の実施例を示すものである。
図１０は従来例を示すものである。
【図１】熱可塑性合成樹脂シート平面図
【図２】マスキング材製造工程説明図
【図３】マスキング材の斜視図
【図４】マスキング材を支柱に装着する場合の説明図
【図５】マスキング材を支柱に装着した状態の治具斜視図
【図６】他の実施例の熱可塑性合成樹脂シート平面図
【図７】他の実施例のマスキング材斜視図
【図８】マスキング材を他の実施例の治具に装着した場合の説明図
【図９】マスキング材の合わせ目を貼着部材で封じた場合の説明図
【図１０】従来例のマスキング材を支柱に装着した状態の治具斜視図
【符号の説明】
【００２１】
１              熱可塑性合成樹脂シート
３，３Ａ，３Ｂ  マスキング材
５              筒状型材
１１，２１      治具
１３，２２      支柱
【図１】
0005156308.tif 000002
【図２】
0005156308.tif 000003
【図３】
0005156308.tif 000004
【図４】
0005156308.tif 000005
【図５】
0005156308.tif 000006
【図６】
0005156308.tif 000007
【図７】
0005156308.tif 000008
【図８】
0005156308.tif 000009
【図９】
0005156308.tif 000010
【図１０】
0005156308.tif 000011